(57)【要約】【課題】排水口および洗面ボウルの内周壁に設けられたオーバーフロー口を目隠しし、洗面化粧台を機能的に使用することを可能にした洗面ボウルの構造を提供する。【解決手段】洗面化粧台の洗面ボウルＡと目隠し部材Ｂとからなる洗面ボウルの構造であって、該洗面ボウルＡの底面１の左右いずれかの側端部に排水口２を設けるとともに、該側端部からの立ち上がり内周壁１２にオーバーフロー口３を設け、上記排水口２とオーバーフロー口３とが、載置部４と該載置部４の端縁から垂下する脚部５とからなる側面視略Ｌ字型の目隠し部材Ｂによって着脱自在に覆われてなる洗面ボウルの構造。【選択図】図４
2007307015.tif 000002
【特許請求の範囲】
【請求項１】
洗面化粧台の洗面ボウルと目隠し部材とからなる洗面ボウルの構造であって、該洗面ボウルの底面の左右いずれかの側端部に排水口を設けるとともに、該側端部からの立ち上がり内周壁にオーバーフロー口を設け、上記排水口とオーバーフロー口とが、載置部と該載置部の端縁から垂下する脚部とからなる側面視略Ｌ字型の目隠し部材によって着脱自在に覆われてなる洗面ボウルの構造。
【請求項２】
上記目隠し部材の載置部の自由端は、上記洗面ボウルの立ち上がり内周壁上の開口縁に設けられた段部によって係止され、該載置部の端縁には上記脚部に連接するリブ部を備えるとともに、脚部に向けて下る勾配を有し、載置面には水切り孔が設けられた請求項１に記載の洗面ボウルの構造。
【請求項３】
上記目隠し部材の脚部には洗面ボウルからの排水の流路となる複数のスリットが設けられた請求項１に記載の洗面ボウルの構造。
【発明の詳細な説明】
【技術分野】
【０００１】
本発明は、洗面化粧台の洗面ボウルに関する。さらに詳しくは、洗面ボウルと目隠し部材とからなる洗面ボウルの構造に関する。
【背景技術】
【０００２】
従来、洗面化粧台の洗面ボウルの構造に関しては種々の提案がなされ、例えば、下記特許文献１をあげることができる。下記特許文献１には、その第１図、第３図に示されているように、上記洗面ボウルの上部開口縁より下位の内周壁に、水切りプレートを載置させた状態で水切りプレートの上面が上部開口縁より下位となるように水切りプレート載置用段部を形成し、この水切りプレート載置用段部より下位の洗面ボウルの内周壁にオーバーフロー口を設けてなる洗面化粧台の洗面ボウルの構造が開示されている。
【０００３】
そして、その目的とするところは、洗濯槽としての機能を具備し、しかも、洗濯槽として使い勝手がよく作業性に優れ、ひいては洗面化粧台を機能的にさせる洗面化粧台の洗面ボウルの構造を提供することにあると記載されている。
【特許文献１】特開昭６１−９２６４２号公報（第１〜３頁、第１図、第３図、第４図）
【発明の開示】
【発明が解決しようとする課題】
【０００４】
しかしながら、上記した従来技術においては、洗面ボウルの排水口が正面に位置するため、排水口の汚れや詰まりが直接目視され、外観上、見栄えがよくないという問題がある。
【０００５】
本発明はこのような問題を解決して、排水口および洗面ボウルの内周壁に設けられたオーバーフロー口を目隠しするとともに、洗面化粧台を機能的に使用できるようにした洗面ボウルの構造を提供することを、その課題とする。
【課題を解決するための手段】
【０００６】
上記課題を解決するために、本発明においては、つぎのような技術的手段を講じている。すなわち、請求項１に記載の発明によれば、洗面化粧台の洗面ボウルと目隠し部材とからなる洗面ボウルの構造であって、該洗面ボウルの底面の左右いずれかの側端部に排水口を設けるとともに、該側端部からの立ち上がり内周壁にオーバーフロー口を設け、上記排水口とオーバーフロー口とが、載置部と該載置部の端縁から垂下する脚部とからなる側面視略Ｌ字型の目隠し部材によって着脱自在に覆われてなる洗面ボウルの構造が提供される。
【０００７】
請求項２に記載の洗面ボウルの構造は、請求項１に記載の発明に加えて、上記目隠し部材の載置部の自由端は、上記洗面ボウルの立ち上がり内周壁上の開口縁に設けられた段部によって支持され、該載置部の端縁には上記脚部に連接するリブ部を備えるとともに、脚部に向けて下る勾配を有し、載置面には水切り孔を設けることが好ましい。
【０００８】
請求項３に記載の洗面ボウルの構造は、請求項１に記載の発明に加えて、上記目隠し部材の脚部には洗面ボウルからの排水の流路となる複数のスリットを設けることが好ましい。
【発明の効果】
【０００９】
請求項１に記載の発明にかかる洗面ボウルの構造は上記のとおりであり、該洗面ボウルの底面の左右いずれかの側端部に排水口と、該側端部からの立ち上がり内周壁上にオーバーフロー口とを設け、上記排水口とオーバーフロー口とが、載置部と該載置部の端縁から垂下する脚部とからなる側面視略Ｌ字型の目隠し部材によって着脱自在に覆われるため、通常、洗面ボウルの排水口が直接見えることなく、排水口の汚れや詰まりが目視されないため、見栄えのよい洗面ボウルとすることができる。また、上記目隠し部材は載置台としても利用可能であるため、洗面ボウルを機能的に使用することができる。
【００１０】
請求項２に記載の洗面ボウルの構造は上記のとおりであり、請求項１の洗面ボウルの構造の有する効果に加え、上記目隠し部材の載置部の自由端は、上記洗面ボウルの開口縁に設けられた段部によって係止されているため、着脱自在であり、排水口が汚れたり、詰まったときは、目隠し部材を取り外して容易に掃除ができる。また、上記載置部の端縁に脚部に連接するリブ部を備えているため、載置した洗面用小物類等の落下を該リブ部によって防ぐことができる。さらに、上記載置部は脚部に向けて下り勾配で設けられているため、洗面用小物類に付着した水は載置面に滞留せずに流れ、水切り孔から滴下して水切りをすることができる。
【００１１】
請求項３に記載の洗面ボウルの構造は上記のとおりであり、請求項１の洗面ボウルの構造の有する効果に加え、上記目隠し部材の脚部には洗面ボウルからの排水を流す複数のスリットが設けられているため、手洗い、洗顔等に使用した排水を上記スリットを流路として容易に排水することができる。
【発明を実施するための最良の形態】
【００１２】
以下、本発明の実施形態について図面を参照して詳細に説明する。図１は本発明にかかる洗面化粧台の洗面ボウルＡを示す斜視図である。図１において、上記洗面ボウルＡの底面１の右側端部の隅に排水口２が設けられ、右側の立ち上がり内周壁１２の上部にはオーバーフロー口３が設けられるとともに、洗面ボウルＡの右側開口縁には、後記する目隠し部材Ｂの載置部の自由端を係止するための段部１１が凹設されている。
【００１３】
図２は、上記排水口２とオーバーフロー口３とを、着脱自在に覆う側面視略Ｌ字型の目隠し部材Ｂを示す斜視図である。図２に示されているように、上記目隠し部材Ｂは、載置部４と載置部４の端縁から垂下する脚部５とからなり、上記脚部５の上部にはリブ部６が連接され、載置物が落下することを防ぐ。また、載置部４には水切り孔４１が穿たれ、洗面具類等を仮置きした場合に付着した水が上記水切り孔４１から滴下するようにされている。また、上記脚部５には排水の流路となるスリット５３が設けられている。
【００１４】
すなわち、図２に示すように、脚部５はその両端に配設される支持脚部５１と、支持脚部５１間に設けられる櫛歯部５２とからなり、櫛歯部５２と櫛歯部５２との間は上記スリット５３とされている。洗面化粧台を使用したとき洗顔や手洗いに用いた水等、排水は洗面ボウルＡの底面１の上を流れ、上記スリット５３および底面１と櫛歯部５２の下面との間を通り、排水口２から排出される。
【００１５】
図３は、洗面ボウルＡの右側開口縁に凹設された段部１１に、目隠し部材Ｂの載置部４の自由端４２を係止するように置き、脚部５で目隠し部材Ｂを支持した状態を示す部分断面図である。図３に示されているように、上記載置部４は段部１１から脚部５に向けて下がり勾配で設けられ、洗面具等の付着水が滞留することなく流れて、水切り孔４１から滴下するようにされている。また、脚部５の上部に連接されたリブ部６は、載置した洗面具等、小物類物が落下することを防ぐ。
【００１６】
さらに、載置部４の自由端４２の裏面にはゴム等からなる滑り止め部材４３が付設され、洗面ボウルＡの右側開口縁に凹設された段部１１に当接し、載置部４が滑って目隠し部材Ｂが外れ落ちることを防止する。オーバーフロー口３から溢れ出た排水はオーバーフローパイプ７によって排水口２からの排水パイプに８に連結され、排水本管に排出される。
【００１７】
図４は、上記のように構成された目隠し部材Ｂを洗面ボウルＡの開口部右側に装着した状態を示す斜視図である。図４に示されているように、排水口２およびオーバーフロー口３は目隠し部材Ｂで覆われ、洗面ボウルＡの底面１が見えるだけであり、外観的にすっきりとした見栄えのよい洗面化粧台とすることができる。本実施形態は、洗面ボウルＡの開口部右側に目隠し部材Ｂを着脱自在に装着する例であるが、洗面ボウルＡの開口部左側に目隠し部材Ｂを装着することも可能で、このように本発明は種々設計変更可能であり、本発明の特許請求の範囲を逸脱しない限りいずれも本発明の技術的範囲に含まれる。
【図面の簡単な説明】
【００１８】
【図１】本発明にかかる洗面化粧台の洗面ボウルを示す斜視図である。
【図２】本発明にかかる目隠し部材およびリブ部を示す斜視図である。
【図３】本発明にかかる目隠し部材を洗面ボウルに装着した状態を示す部分断面図である。
【図４】本発明にかかる洗面ボウルの構造を示す斜視図である。
【符号の説明】
【００１９】
Ａ          洗面ボウル
１          底面
１１        段部
１２        立ち上がり内周壁
２          排水口
３          オーバーフロー口
Ｂ          目隠し部材
４          載置部
４１        水切り孔
４２        自由端
４３        滑り止め部材
５          脚部
５１        支持脚部
５２        櫛歯部
５３        スリット
６          リブ部
７          オーバーフローパイプ
８          排水パイプ
【図１】
2007307015.tif 000003
【図２】
2007307015.tif 000004
【図３】
2007307015.tif 000005
【図４】
2007307015.tif 000006